(57)【要約】【課題】  高齢者もしくは身障者が在宅の状態で、郵便物を安全かつ確実に受発送することと、消防署や警察署などの緊急機関および家族など特定の個人に、確実かつ安全に緊急通報することを満たすシステムを提供することを目的とする。【解決手段】  受発送郵便箱を居住者宅の室外に設置し、それと無線通信手段で通信可能なコントローラーを室内に設置し、郵便局にコントローラーから発信する電子メールを受信する通信端末器を設置する。電子メールの内容は集荷に必要な個人情報と、任意の定形メッセージの組み合わせである。  前記コントローラーに消防署、警察署など緊急連絡先に対応した押しボタンスイッチを設け、押ボタンスイッチを押すことにより、各緊急連絡先に前記個人情報と任意の定形メッセージとからなる電子メールを送り知らせる。【選択図】図１
2008012324.tif 000002
【特許請求の範囲】
【請求項１】
発送郵便物の投函を郵便局に知らせる郵便システムであって、受領郵便物と発送郵便物を投函する郵便箱を居住者宅の室外に設置し、前記郵便箱と無線通信が可能で、かつ前記郵便局に情報を送ることが可能なコントローラーを前記居住者の室内に設置し、前記コントローラーから情報伝達を受ける通信端末器を前記郵便局に設置し、前記受領郵便物の投函を前記居住者に対して表示器または音声発生器にて知らせ、また前記発送郵便物の投函を前記居住者と前記郵便局の両者に対して、同時に知らせることと、前記発送郵便箱から前記発送郵便物を取り出して集荷したことを前記居住者に対して表示器または音声発生器にて知らせることを特徴とする受発送郵便システム。
【請求項２】
請求項１記載の受発送郵便システムにおいて、郵便箱は、それぞれ独立した投函口を有する受領郵便物用の受領郵便箱と、発送郵便物用の発送郵便箱とが上下、左右または前後に組み合わせたものであることを特徴とする受発送郵便システム。
【請求項３】
請求項１記載の受発送郵便システムにおいて、郵便箱は、受領郵便物が受領郵便箱に投函または取り出されたことを検知する検知手段と、前記検知手段からの検知信号をコントローラーに送信する無線送信手段を有し、かつ発送郵便物が発送郵便箱に投函または取り出されたことを検知する検知手段と、前記検知手段の検知信号をコントローラーに送信する無線送信手段を有し、前記検知手段と無線送信手段を、太陽電池を含む電池で駆動することを特徴とする受発送郵便システム。
【請求項４】
請求項１記載の受発送郵便システムにおいて、コントローラーは、郵便局に電子メールを送る手段を有し、前記電子メールは居住者の個人情報と、依頼内容に応じた定形メッセージの組み合わせ情報を含むことを特徴とする受発送郵便システム。
【請求項５】
請求項１記載の受発送郵便システムにおいて、コントローラーは、郵便箱からの無線送信信号を受信する無線受信手段と、受領郵便物の投函と取り出しに対応する表示器または音声発生器、および消灯スイッチと、発送郵便物の投函と取り出しに対応する表示器または音声発生器と、非投函の発送郵便物に対応する集荷依頼スイッチと、前記発送郵便物の投函または前記集荷依頼スイッチに対応して郵便局に電子メールを送信する電子メール送信手段と、前記電子メールの個人情報と定形メッセージを格納する記憶手段とを備えていることを特徴とする受発送郵便システム。
【請求項６】
請求項１または５記載の受発送郵便システムにおいて、コントローラーは集荷依頼スイッチに加えて消防署、警察署、あるいは特定の機関や個人等の緊急連絡先に緊急情報を送信する緊急連絡スイッチと、前記、各緊急連絡先に対応した前記個人情報と定形メッセージを格納する記憶手段を備えていることを特徴とする受発送郵便システム。
【発明の詳細な説明】
【技術分野】
【０００１】
本発明は、郵便物の受発送および緊急連絡に好適なシステムに関し、特に郵便物を確実に受発送し、かつ緊急時に関連機関へ確実に情報を伝えるシステムに関するものである。
【背景技術】
【０００２】
郵便物の発送人の家やアパート等の住居から、郵便物を簡便かつ安全に発送するための郵便システムおよび郵便箱は、特許文献１で提案されている。
【０００３】
緊急時に発送人である一人暮らしの老人等からの通報が、迅速かつ的確に確認・把握できるシステムは特許文献２で提案されている。
【０００４】
電子メールを利用した通報方法と緊急通報センタに設置する装置は、特許文献３で提案されている。
【０００５】
私書箱や集合住宅の個人用郵便受けの郵便物の有無状態を、設置場所に出向くことなく認知できる遠隔監視装置は、特許文献４で提案されている。
【０００６】
郵便受けに郵便物が着信したことを宅内に通知するための装置は、特許文献５で提案されている。
【０００７】
そして、郵便受けに郵便物が着信したことを、郵便受け内部のブザーの作動で通知するための技術は、特許文献６で提案されている。
【特許文献１】特開２００４−３０５４６８
【特許文献２】特開２００３−３２４５５２
【特許文献３】特開２００２−３００３１８
【特許文献４】特開２００１−７８８７５
【特許文献５】特開２０００−５０３６
【特許文献６】公実昭５９−１６２０８５
【発明の開示】
【発明が解決しようとする課題】
【０００８】
前記特許文献１に記載された発明は、発送郵便物は必ず郵便箱に収納しなければならない制限があり、受領郵便物の投函の知らせ機能、居住者の緊急事態に対応する機能がない。
【０００９】
前記特許文献２に記載された発明は、音声もしくは画像による緊急情報を通報者と通報先にて、誤操作の確認と電話連絡を取る方式で、複雑な操作と装置を必要とし、緊急時の対応手段としては実用的ではない。
【００１０】
前記特許文献３に記載された発明は、緊急時の都度に必要とする電子メールのメッセージ作成の負担が大きく、緊急時には対応が極めて困難である。
【００１１】
前記特許文献４、５および６に記載された発明は、受領郵便物だけを対象とした内容であって発送郵便物には対応していない。
【００１２】
現在、高齢化は大きな社会問題であり、高齢者はますます増加する傾向にある。これら外出に支障を来たす高齢者や、身体障害者（身障者）にとって、郵便物を発送するために郵便局まで出向くことには多くの困難や障害を伴う。また通常の生活にて、健康上の問題や災害の危険に直面している一人暮らしの状態では、これらの問題はさらに深刻である。
【００１３】
本発明は、高齢者もしくは身障者が在宅の状態で、郵便物を安全かつ確実に受発送することと、消防署や警察署などの緊急機関および家族など特定の個人に、確実かつ安全に緊急通報することを満たすシステムを提供することを目的とする。
【課題を解決するための手段】
【００１４】
請求項１記載の本発明１は、発送郵便物の投函を郵便局に知らせる郵便システムであって、受領郵便物と発送郵便物を投函する郵便箱を居住者宅の室外に設置し、前記郵便箱と無線通信が可能で、かつ前記郵便局に情報を送ることが可能なコントローラーを前記居住者の室内に設置し、前記コントローラーから情報伝達を受ける通信端末器を前記郵便局に設置し、前記受領郵便物の投函を前記居住者に対して表示器または音声発生器にて知らせ、また前記発送郵便物の投函を前記居住者と前記郵便局の両者に対して、同時に知らせることと、前記発送郵便箱から前記発送郵便物を取り出して集荷したことを前記居住者に対して表示器または音声発生器にて知らせることを特徴とする受発送郵便システムである。
【００１５】
請求項２記載の本発明２は、本発明１の受発送郵便システムにおいて、郵便箱は、それぞれ独立した投函口を有する受領郵便物用の受領郵便箱と、発送郵便物用の発送郵便箱とが上下、左右または前後に組み合わせたものであることを特徴とする受発送郵便システムである。
【００１６】
請求項３記載の本発明３は、本発明１の受発送郵便システムにおいて、郵便箱は、受領郵便物が受領郵便箱に投函または取り出されたことを検知する検知手段と、前記検知手段からの検知信号をコントローラーに送信する無線送信手段を有し、かつ発送郵便物が発送郵便箱に投函または取り出されたことを検知する検知手段と、前記検知手段の検知信号をコントローラーに送信する無線送信手段を有し、前記検知手段と無線送信手段を、太陽電池を含む電池で駆動することを特徴とする受発送郵便システムである。
【００１７】
請求項４記載の本発明４は、本発明１の受発送郵便システムにおいて、コントローラーは、郵便局に電子メールを送る手段を有し、前記電子メールは居住者の個人情報と、依頼内容に応じた定形メッセージの組み合わせ情報を含むことを特徴とする受発送郵便システムである。
【００１８】
請求項５記載の本発明５は、本発明１の受発送郵便システムにおいて、コントローラーは、郵便箱からの無線送信信号を受信する無線受信手段と、受領郵便物の投函と取り出しに対応する表示器、音声発生器および消灯スイッチと、発送郵便物の投函と取り出しに対応する表示器または音声発生器と、非投函の発送郵便物に対応する集荷依頼スイッチと、前記発送郵便物の投函または前記集荷依頼スイッチに対応して郵便局に電子メールを送信する電子メール送信手段と、前記電子メールの個人情報と定形メッセージを格納する記憶手段とを備えていることを特徴とする受発送郵便システムである。
【００１９】
請求項６記載の本発明６は、本発明１または５の受発送郵便システムにおいて、コントローラーは集荷依頼スイッチに加えて消防署、警察署、あるいは特定の機関や個人等の緊急連絡先に緊急情報を送信する緊急連絡スイッチと、前記、各緊急連絡先に対応した前記個人情報と定形メッセージを格納する記憶手段を備えていることを特徴とする受発送郵便システムである。
【発明の効果】
【００２０】
したがって、本発明１の受発送郵便システムによれば、受発送郵便箱は居住者の室外にあるために、郵便局員および居住者共に通常の郵便箱と違和感なく受領郵便物と発送郵便物を取扱うことができ、室内に設置したコントローラーとの信号伝達が無線手段であるために設置場所の制限がない。受領郵便物が受領郵便箱に入れた状態および、取り出して集荷した状態を、居住者は室内にいながら、コントローラーを介して表示器または音声発生器にて確認が可能で、高齢者や身障者に対して格別な利便性と安心感を与える。また発送郵便物が発送郵便箱に入っている場合も同様である。さらに発送郵便物を発送郵便箱に投函すると同時に、コントローラーから郵便局内に予め設置した通信端末器に信号が送られ郵便局員による集荷の確認が容易である。以上の効果は、前記引用文献にはない効果である。
【００２１】
本発明２の受発送郵便システムによれば、受発送郵便箱は独立した投函口を持つ受領郵便箱と発送郵便箱とを一体化した構造を有することで、室外の設置が容易であり投函口を間違える心配がない。
【００２２】
本発明３の受発送郵便システムによれば、受発送郵便箱に設置した受発送郵便物の投函または取り出しに対応する検知手段と、無線通信手段により、確実にコントローラーに対して郵便物の投函及び取り出しの状態を伝達でき、また電源が太陽電池を含む電池であることにより室内等からの電源配線が不要である効果がある。
【００２３】
本発明４の受発送郵便システムによれば、電子メール手段により郵便局に正確な情報を送ることができ、しかも電子メールメッセージを依頼内容に対応して定形化することにより、いちいちメッセージを作成することなく発送郵便物の投函に連動して自動的かつ確実に情報を送ることができる。
【００２４】
本発明５の受発送郵便システムによれば、受領郵便物の投函と取り出しに対応して動作する表示器または音声発生器によって、居住者は室内に居ながら郵便物の有無を確認できる。発送郵便物に対しても同様である。また発送郵便箱に入らない小包などの郵便物や、冷凍パックや書留郵便物など郵便局員に直接手渡したい郵便物など、非投函となる発送郵便物に対応する、集荷スイッチとそれに連動する定形メッセージからなる電子メール手段により、郵便局に正確かつワンタッチで自動的に情報を送り郵便局員に確実かつ安全に手渡すことができる。
【００２５】
本発明６の受発送郵便システムによれば、消防署、警察署、あるいは特定の機関や個人等の緊急連絡先に緊急情報を送信する緊急連絡スイッチと、それに連動する定形メッセージからなる電子メール手段により、各緊急機関に正確かつワンタッチで自動的に情報を送ることができる。高齢者や身障者、および一人暮らしの老人などに対して、格別な利便性と安心感を与えるものである。
【実施例】
【００２６】
以下、発明の一実施形態について、図面を参照して説明する。
【００２７】
図１は本発明の一実施例である受発送郵便システムの概念図である。
【００２８】
受発送郵便箱１０は住居１の室外に設置されている。受発送郵便箱１０からの信号は無線手段３によって住居１の内部に設置したコントローラー２０に伝達される。コントローラー２０は郵便局２に設置された通信端末器３０に無線もしくは公衆回線４で結ばれ、通信が可能である。２は郵便局のほか消防署、警察署、あるいは特定の機関や個人等の緊急連絡先でも良い。
【００２９】
図２ａ、図２ｂ、および図２ｃは受発送郵便箱１０の外観図である。１０は、受領郵便箱１０ａと発送郵便箱１０ｂからなる。受領および発送用郵便箱１０の一部にはアンテナ１１を配置する。図２ａでは１０ａと１０ｂを上下方向に組み合わせているが、図２ｂでは左右方向の組み合わせ、図２ｃ では前後方向の組み合わせを示す。
【００３０】
図３は受領および受領郵便箱１０ａまたは発送郵便箱１０ｂの内部構造図である。郵便物１３はスリット１２から郵便箱に投函され可動底板１４で受け止められる。可動底板１４と固定板１６との間に重量センサー１５を配置し、郵便物１３の有無を検知し、前記検知の信号は送信機１７を経てアンテナ１１から空中に放射される。電源１８は１５および１７に電力を供給し、その形態は太陽電池を含む電池である。重量センサー１５は郵便物１３の通過を検知する通過センサーに代替することも可能である。この通過センサーは発光素子と受光素子間の光路を郵便物が遮断したことを検知する光検知方式、あるいは投入口（スリット１２）に設けられている盗難防止と雨よけの蓋体（図示せず）の回転を検出する蓋体回転検知方式などに代替が可能である。
【００３１】
図４はコントローラー２０の外観図である。受信アンテナ２１ａと送信アンテナ２１が装備され、それぞれ受発送郵便箱１０の送信機１７と、郵便局の通信端末器３０に対応している。通信端末器３ ０との通信は公衆回線２６を経由しても可能である。２０のパネルには受領郵便箱１０ａの郵便物の有無を示す表示器、例えばランプ２２ａと、発送郵便箱１０ｂの郵便物の有無を示すランプ２２ｂが装備されている。ランプ２２ａは受領郵便箱１０ａに郵便物が投函されると点灯し、取り出されると消灯するが、消灯スイッチ２３ａを押すことによって強制的に消灯させることが可能である。また２２ｂは発送郵便箱１０ｂに郵便物が投函されると点灯し、取り出されると消灯する。発送郵便箱１０ｂに郵便物が投函されると、その状態をコントローラー２０で受信した後に、送信アンテナ２１ｂもしくは公衆回線２ ６を経由して郵便局の通信端末器３０に送信される。また集荷依頼スイッチ２３ｂを押すことによって、前記、発送郵便箱１０ｂへの郵便物の投函と全く同様の効果を奏することができ、発送郵便箱１０ｂに入らない大きさの郵便物や、郵便局員に直接手渡しをしたい郵便物がある場合に有効である。音声発生器、例えばスピーカー２５は、ランプ２２ａおよび２２ｂの機能に対応し、各種音源を介して聴覚で状態を伝えることを可能とする。
【００３２】
図５はコントローラー２０内部のブロックダイヤグラムである。受信アンテナ２１ａで受信した信号は受信機３１ａで検知され、表示部３４によりランプ２２ａ、２２ｂもしくはスピーカー２５を駆動させる。表示部３４の動作は、操作部３３からも制御が可能である。発郵便物を投函した場合、受信機３１ａの出力信号は、メッセージメモリー３２に予め登録して格納されている基本メッセージ３ ６と個別メッセージ３６ａを呼び出す。基本メッセージ３６には「住所、氏名、電話番号」とからなり、個別メッセージ３６ａの例は「集荷依頼箱に投函しました。回収をお願いいたします」である。３６と３６ａの組み合わせメッセージは送信機３１ｂに送られ、送信アンテナ２１ｂまたは公衆回線２６から送信される。郵便局２に設置した通信端末器３０で前記送信信号を受信し、前記メッセージに従って郵便局員は発送郵便物を回収する。また操作部３３に備えた集荷依頼スイッチ２３ｂを押した場合、操作部３３の出力信号は、メッセージメモリー３２に予め登録して格納されている基本メッセージ３６と個別メッセージ３６ｂを呼び出す。個別メッセージ３６ｂの例は「持って行って欲しい郵便物があります。すぐに取りに来てください」である。この場合、サイズの大きい郵便物や、郵便局員に直接手渡しを望む重要な郵便物が含まれている可能性があるため、前記メッセージを受けてから、居住者に郵便物のサイズや回収時間指定などを電話連絡することが望ましい。電源３５はコントローラー１０の内部回路を駆動するためのものである。
【００３３】
図６はコントローラー２０の他の実施例である。緊急通信用パネル２７の内部に、ランプと連絡先スイッチのペア２２ｃと２３ｃ、２２ｄと２３ｄ、２２ｅと２３ｅを装備する。図６は例として２２ ｃと２３ｃを警察署、２２ｄと２３ｄを消防署、２２ｅと２３ｅを家族に割り当てている。前記、緊急連絡先のスイッチに対応して、メッセージメモリー３２内部には、予め登録された個別メッセージが格納されている。例えば連絡先スイッチ２３ｃを押すと、ランプ２２ｃが点灯すると同時に、基本メッセージ３６と個別メッセージ「事件が起きました。すぐに来てください」が警察署に電子メールとして送信され、警察署ではメッセージに従って送信元に確認電話の上、発動する。他の緊急連絡先の場合も同様である。
【００３４】
図７は図６に対応したコントローラー２０内部のブロックダイヤグラムである。メッセージメモリー３２には緊急連絡先に対応した個別メッセージ３６ｃ〜３６ｅが格納されている。操作部３３に備えられた緊急連絡先スイッチ２２ｃ〜ｅを押すと、それに応じて基本メッセージ３６と個別メッセージ３６ｃ〜３６ｅの組み合わせによる電子メールが送信機３１ｂを経由して緊急連絡先に送信される。送信信号は図１に示す緊急連絡先２に設置された通信端末器３０にて受信される。
【産業上の利用可能性】
【００３５】
本発明の受発送郵便システムおよび緊急連絡システムは、高齢者または身体障害者の生活環境向上に利用することができる。
【図面の簡単な説明】
【００３６】
【図１】受発送郵便システムの概念図である。
【図２ａ】受発送郵便箱（上下タイプ）の外観図である。
【図２ｂ】受発送郵便箱（左右タイプ）の外観図である。
【図２ｃ】受発送郵便箱（前後タイプ）の外観図である。
【図３】受発送郵便箱の内部構造図である。
【図４】コントローラーの外観図である。
【図５】コントローラー内部のブロックダイヤグラムである。
【図６】コントローラーの他の実施例である。
【図７】コントローラーの他の実施例に対応したブロックダイヤグラムである。
【符号の説明】
【００３７】
１・・・住居                      ２・・・郵便局
３・・・無線手段                  ４・・・無線もしくは公衆回線
１０・・・受発送郵便箱            １０ａ・・・受領郵便箱
１０ｂ・・・発送郵便箱            １１、２１ａ〜ｂ・・・アンテナ
１２・・・スリット                １３・・・郵便物
１４・・・可動底板                １５・・・重量センサー
１６・・・固定板                  １７・・・送信機
１８、３５・・・電源              ２０・・・コントローラー
２２ａ〜ｂ・・・ランプ            ２３ａ〜ｂ・・・押しボタンスイッチ
２５・・・スピーカー              ２６・・・公衆回線
３０・・・通信端末器              ３１ａ・・・受信機
３１ｂ・・・送信機                ３２・・・メッセージメモリー
３３・・・操作部                  ３４・・・表示部
３６・・・基本メッセージ          ３６ａ〜ｅ・・・個別メッセージ
【図１】
2008012324.tif 000003
【図２ａ】
2008012324.tif 000004
【図２ｂ】
2008012324.tif 000005
【図２ｃ】
2008012324.tif 000006
【図３】
2008012324.tif 000007
【図４】
2008012324.tif 000008
【図５】
2008012324.tif 000009
【図６】
2008012324.tif 000010
【図７】
2008012324.tif 000011